(57)【要約】【課題】各項目の選択実績を参照することにより項目一覧表示領域に表示されていなかった項目を表示させる。【解決手段】宛先リスト表示領域が表示されている操作パネルに対して行われたフリック操作が操作受付部１１により受け付けられると、宛先データベース１４の送信回数を参照し、送信回数の最も大きい宛先を特定し、その宛先を先頭とする宛先のリストを表示部１１２に表示させる表示制御部１３１を有する。【選択図】図１
2014071804.tif 000002
【特許請求の範囲】
【請求項１】
表示画面上の項目一覧表示領域に項目を一覧表示する表示手段と、
項目一覧表示領域に表示される項目の一覧を更新するためのユーザ操作を受け付ける受付手段と、
各項目の選択された実績を示す選択実績情報を記憶する記憶手段と、
前記受付手段によりユーザ操作が受け付けられたときに、選択実績情報を参照することにより特定した項目を、項目一覧表示領域における基準位置に合わせて前記表示手段に一覧表示させる表示制御手段と、
を有することを特徴とする情報表示装置。
【請求項２】
前記表示制御手段は、選択実績情報に含まれている各項目の選択回数を参照し、前記受付手段によりユーザ操作が受け付けられる度に、選択回数の多い項目から順に項目一覧表示領域における基準位置に合わせて一覧表示させることを特徴とする請求項１に記載の情報表示装置。
【請求項３】
前記表示制御手段は、選択実績情報に含まれている各項目の直近に選択された日時情報を参照し、前記受付手段によりユーザ操作が受け付けられる度に、直近に選択された項目から順に当該項目を項目一覧表示領域における基準位置に合わせて一覧表示させることを特徴とする請求項１に記載の情報表示装置。
【請求項４】
前記受付手段は、フリック操作を、項目の一覧を更新するためのユーザ操作として受け付けることを特徴とする請求項１に記載の情報表示装置。
【請求項５】
前記受付手段は、既存機能で用いている数以外の数の操作手段を用いたフリック操作を、項目の一覧を更新するためのユーザ操作として受け付けることを特徴とする請求項４に記載の情報表示装置。
【請求項６】
コンピュータを、
表示画面上の項目一覧表示領域に項目を一覧表示する表示手段、
項目一覧表示領域に表示される項目の一覧を更新するためのユーザ操作を受け付ける受付手段、
前記受付手段によりユーザ操作が受け付けられたときに、各項目の選択された実績を示す選択実績情報を参照することにより特定した項目を、項目一覧表示領域における基準位置に合わせて前記表示手段に一覧表示させる表示制御手段、
として機能させるためのプログラム。
【発明の詳細な説明】
【技術分野】
【０００１】
本発明は、情報表示装置及びプログラムに関する。
【背景技術】
【０００２】
相対的に小さい表示画面を有する情報端末装置においては、全ての表示項目が表示画面上の情報表示領域に表示しきれない場合が少なくない。このため、選択したい項目を情報表示領域に表示させるためのユーザインタフェースが種々提案されている。
【０００３】
例えば、全てのメニュー項目をロール状に配置したメニュー選択ローラをディスプレイに３次元表示することでメニュー項目の数をユーザに認識させ、これにより所望のメニュー項目を表示させる際にメニュー選択ローラを回転させるユーザ操作量の程度の見当を付けさせる技術が提案されている（例えば、特許文献１）。
【０００４】
また、表示画面上で円を描くジェスチャ操作により、項目をスクロール表示させる技術が提案されている（例えば、特許文献２）。
【先行技術文献】
【特許文献】
【０００５】
【特許文献１】特開２００７−９５０９６号公報
【特許文献２】特開２０１０−１９８２９８号公報
【発明の概要】
【発明が解決しようとする課題】
【０００６】
本発明は、各項目の選択実績を参照して項目一覧表示領域に表示されていなかった項目を含む一覧を表示させることを目的とする。
【課題を解決するための手段】
【０００７】
本発明に係る情報表示装置は、表示画面上の項目一覧表示領域に項目を一覧表示する表示手段と、項目一覧表示領域に表示される項目の一覧を更新するためのユーザ操作を受け付ける受付手段と、各項目の選択された実績を示す選択実績情報を記憶する記憶手段と、前記受付手段によりユーザ操作が受け付けられたときに、選択実績情報を参照することにより特定した項目を、項目一覧表示領域における基準位置に合わせて前記表示手段に一覧表示させる表示制御手段と、を有することを特徴とする。
【０００８】
また、前記表示制御手段は、選択実績情報に含まれている各項目の選択回数を参照し、前記受付手段によりユーザ操作が受け付けられる度に、選択回数の多い項目から順に項目一覧表示領域における基準位置に合わせて一覧表示させることを特徴とする。
【０００９】
また、前記表示制御手段は、選択実績情報に含まれている各項目の直近に選択された日時情報を参照し、前記受付手段によりユーザ操作が受け付けられる度に、直近に選択された項目から順に当該項目を項目一覧表示領域における基準位置に合わせて一覧表示させることを特徴とする。
【００１０】
また、前記受付手段は、フリック操作を、項目の一覧を更新するためのユーザ操作として受け付けることを特徴とする。
【００１１】
また、前記受付手段は、既存機能で用いている数以外の数の操作手段を用いたフリック操作を、項目の一覧を更新するためのユーザ操作として受け付けることを特徴とする。
【００１２】
本発明に係るプログラムは、コンピュータを、表示画面上の項目一覧表示領域に項目を一覧表示する表示手段、項目一覧表示領域に表示される項目の一覧を更新するためのユーザ操作を受け付ける受付手段、前記受付手段によりユーザ操作が受け付けられたときに、各項目の選択された実績を示す選択実績情報を参照することにより特定した項目を、項目一覧表示領域における基準位置に合わせて前記表示手段に一覧表示させる表示制御手段、として機能させるためのものである。
【発明の効果】
【００１３】
請求項１記載の発明によれば、各項目の選択実績を参照して項目一覧表示領域に表示されていなかった項目を含む一覧を表示させることができる。
【００１４】
請求項２記載の発明によれば、各項目の選択回数を参照して項目一覧表示領域に表示されていなかった項目を含む一覧を表示させることができる。
【００１５】
請求項３記載の発明によれば、各項目の直近に選択された日時情報を参照して項目一覧表示領域に表示されていなかった項目を含む一覧を表示させることができる。
【００１６】
請求項４記載の発明によれば、フリック操作を、項目の一覧を更新するためのユーザ操作として受け付けることができる。
【００１７】
請求項５記載の発明によれば、フリック操作を利用した既存機能に変更を加えることなく適用することができる。
【００１８】
請求項６記載の発明によれば、各項目の選択実績を参照して項目一覧表示領域に表示されていなかった項目を含む一覧を表示させることができる。
【図面の簡単な説明】
【００１９】
【図１】本発明に係る情報表示装置の一実施の形態を示したブロック構成図である。
【図２】本実施の形態における画像形成装置のハードウェア構成図である。
【図３】本実施の形態における宛先データベースに蓄積された宛先情報のデータ構成例を示した図である。
【図４】本実施の形態において宛先リスト表示領域に表示する宛先リストの表示切替処理を示したフローチャートである。
【図５】本実施の形態において操作パネルに表示される宛先選択画面の初期画面の例を示した図である。
【図６Ａ】図５に示した初期画面に続けて操作パネルに表示される、送信回数に基づく宛先選択画面の表示例を示した図である。
【図６Ｂ】図６Ａに示した表示画面に続けて操作パネルに表示される、送信回数に基づく宛先選択画面の表示例を示した図である。
【図６Ｃ】図６Ｂに示した表示画面に続けて操作パネルに表示される、送信回数に基づく宛先選択画面の表示例を示した図である。
【図７Ａ】図５に示した初期画面に続けて操作パネルに表示される、直近送信日時に基づく宛先選択画面の表示例を示した図である。
【図７Ｂ】図７Ａに示した表示画面に続けて操作パネルに表示される、直近送信日時に基づく宛先選択画面の表示例を示した図である。
【図７Ｃ】図７Ｂに示した表示画面に続けて操作パネルに表示される、直近送信日時に基づく宛先選択画面の表示例を示した図である。
【発明を実施するための形態】
【００２０】
以下、図面に基づいて、本発明の好適な実施の形態について説明する。
【００２１】
図１は、本発明に係る情報表示装置の一実施の形態を示したブロック構成図である。また、図２は、本実施の形態における画像形成装置のハードウェア構成図である。本実施の形態では、本発明に係る情報表示装置を画像形成装置に適用した場合を例にして説明する。図２において、画像形成装置１０は、コピー機能、スキャナ機能、ファクシミリ送信機能等各種機能を搭載した複合機であり、コンピュータを内蔵した装置である。図２において、ＣＰＵ２１は、ＲＯＭ２９に格納されたプログラムにしたがってスキャナ２４やプリンタエンジン２６等本装置に搭載された各種機構の動作制御を行う。アドレスデータバス２２は、ＣＰＵ２１の制御対象となる各種機構と接続してデータの通信を行う。操作パネル２３は、相対的に小さい表示画面を有し、この表示画面に対する操作によってユーザからの指示を受け付け、また情報を表示する。スキャナ２４は、ユーザがセットした原稿を読み取り、電子データとしてＨＤＤ（Ｈａｒｄ  Ｄｉｓｋ  Ｄｒｉｖｅ）２５等に蓄積する。ＨＤＤ２５は、スキャナ２４を使用して読み取った電子文書などを格納する。本実施の形態で利用する宛先データベースは、ＨＤＤ２５に設けられる。プリンタエンジン２６は、ＣＰＵ２１で実行される制御プログラムからの指示に従い出力用紙上に画像を印字する。ネットワークインタフェース（Ｉ／Ｆ）２７は、ネットワーク１を接続し、本装置が生成した電子データの送信、本装置宛に送信されてきた電子メールの受信、またブラウザ経由による本装置へのアクセス、ＦＡＸ送受信などに利用される。ＲＡＭ２８は、プログラム実行時のワークメモリや電子データ送受信時の通信バッファとして利用される。ＲＯＭ２９は、本装置の制御や電子データの暗号、電子データの送受信に関する各種プログラムが格納されている。各種プログラムが実行されることで後述する各構成要素が所定の処理機能を発揮する。ＦＡＸエンジン２０は、ＣＰＵ２１で実行される制御プログラムからの指示に従いネットワークインタフェース２７を介してＦＡＸの送受信を行う。
【００２２】
図１に戻り、本実施の形態における画像形成装置１０は、ユーザインタフェース（ＵＩ）部１１、処理制御部１２、ＦＡＸ送信処理部１３及び宛先データベース（ＤＢ）１４を有している。なお、本実施の形態における説明に必要としない機能処理については図１から省略している。ユーザインタフェース（ＵＩ）部１１は、操作パネル２３を通じてユーザ操作を受け付ける操作受付部１１１と種々のメニューや情報等を表示する表示部１１２とを有するユーザインタフェース手段である。本実施の形態では、後述するようにファクシミリ送信を行う際に、操作パネル２３上の宛先リスト表示領域内に項目としての宛先を一覧表示する例を用いて説明するが、表示手段として設けられた表示部１１２は、操作パネル２３上の宛先リスト表示領域に宛先を一覧表示する。また、本実施の形態における操作受付部１１１は、受付手段として設けられ、操作パネル２３上の宛先リスト表示領域内に表示される宛先の一覧を更新するためのユーザ操作を受け付ける。処理制御部１２は、ユーザ操作により指定された処理機能の起動等画像形成装置１０において実施される処理の全体制御を行う。ＦＡＸ送信処理部１３は、処理制御部１２により制御される処理機能の一つであるファクシミリ送信処理を実行する情報処理手段である。ＦＡＸ送信処理部１３における表示制御部１３１は、表示制御手段として設けられ、操作受付部１１１によりユーザ操作が受け付けられたときに、選択実績情報を参照することにより特定した宛先を、宛先リスト表示領域における基準位置に合わせて宛先を表示部１１２に一覧表示させるなどファクシミリ送信処理における画面表示を制御する。宛先データベース（ＤＢ）１４は、各宛先の選択された実績を示す選択実績情報を記憶する記憶手段である。
【００２３】
図３は、本実施の形態における宛先データベース１４に蓄積された宛先情報のデータ構成例を示した図である。なお、説明に用いない項目データは図３から省略している。宛先情報には、宛先毎に割り振られる短縮番号に対応させて、企業名や部署名等当該宛先を識別する情報としての宛先、当該宛先のＦＡＸ番号及び選択実績情報が対応付けられて構成される。本実施の形態における選択実績情報には、送信回数及び直近送信日時が含まれている。送信回数には、ある時点から現時点までに当該宛先へファクシミリ送信された回数が設定される。ある時点というのは、例えば、ユーザにより指定された日時でもよいし、現時点から２ヶ月前というように期間を特定する長さで設定されてもよい。あるいは、初期化（ゼロクリア）された時点でもよい。また、ユーザによる操作ではなくＦＡＸ送信処理部１３により自動的に決定される時点でもよい。直近送信日時には、直近に当該宛先へファクシミリ送信された日時情報が設定される。
【００２４】
画像形成装置１０における各構成要素１１〜１３は、画像形成装置１０に搭載されたコンピュータと、コンピュータに搭載されたＣＰＵ２１で動作するプログラムとの協調動作により実現される。また、宛先データベース１４は、画像形成装置１０に搭載されたＨＤＤ２５にて実現される。
【００２５】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００２６】
次に、本実施の形態における動作について説明する。本実施の形態では、ＦＡＸ送信処理部１３により実現されるファクシミリ送信機能において、操作パネル２３に表示された宛先リストの中から宛先を指定する場合を例にして、本実施の形態において特徴的なユーザ操作及びそのユーザ操作に基づく宛先リストの表示について説明する。
【００２７】
まず、ユーザは、操作パネル２３に表示されたメニューの中から所定の操作を行うことでＦＡＸ送信機能を起動する。ＦＡＸ送信処理部１３は、ＦＡＸ送信機能が起動されることで動作を開始し、ユーザによる所定の操作に従って、指定された文書の画像データを指定された宛先へ送信する。このように、ＦＡＸ送信処理部１３は、ファクシミリ送信を実行すると、その度に宛先データベース１４における、指定された宛先の送信回数に１を加算すると共に直近送信日時をファクシミリ送信の実行日時で更新する。以下、操作パネル２３の宛先リスト表示領域に表示する宛先リストの表示切替処理について図４に示したフローチャートを用いて説明する。
【００２８】
前述したように、本実施の形態では、操作パネル２３に宛先リストを表示して、その中から宛先をユーザに指定させる。図５は、操作パネル２３に表示された宛先選択画面の表示例を示した図である。図５には、宛先選択画面が表示されたときの初期画面が示されているが、この例のように、宛先選択画面が最初に表示されたときには、先頭の短縮番号“０００１”が宛先リスト表示領域３０の先頭の位置に表示されている。本実施の形態では、宛先リスト表示領域３０における先頭の位置３１を基準位置とする。なお、図３の宛先データベース１４への宛先登録数と宛先選択画面に一度に表示可能な宛先の数とを比較すれば明らかなように、宛先リスト表示領域３０には宛先の一部のみが表示される。
【００２９】
ここで、ユーザがファクシミリ送信先として指定したい宛先が宛先リスト表示領域３０に表示されていない場合、指定したい宛先を表示させるために所定のフリック操作を行う。ここで行う所定のフリック操作については追って説明する。
【００３０】
操作受付部１１は、操作パネル２３に対するユーザ操作を受け付ける（ステップ１１０）。なお、そのユーザ操作が画面切替操作、検索ボタン操作等所定のフリック操作でなければ（ステップ１２０でＮ）、処理制御部１２は、そのユーザ操作に応じた処理をＦＡＸ送信処理部１３に実行させる（ステップ１４０）。
【００３１】
ユーザ操作が所定のフリック操作である場合（ステップ１２０でＹ）、本実施の形態における表示制御部１３１は、宛先データベース１４の送信回数を参照し、送信回数の最も大きい宛先を特定する。図３に示した例によると、宛先５０の送信回数が１０と最大である。従って、表示制御部１３１は、宛先５０を基準位置、すなわち宛先リスト表示領域３０の先頭の位置に表示されるように位置決めし、宛先５０に続く宛先と共に宛先リスト表示領域３０にリスト表示する。このようにして、表示制御部１３１は、フリック操作に応じて宛先リスト表示領域３０の表示を切り替える（ステップ１３０）。この切替後の宛先リストの表示例を図６Ａに示すが、この図のように宛先リスト表示領域３０には、宛先５０が先頭の位置３２ａに表示される宛先５０〜宛先５４が表示される。
【００３２】
ここで、送信先として指定したい宛先が宛先リスト表示領域３０に表示されていない場合、ユーザは、更に所定のフリック操作を行う。操作受付部１１１がこのフリック操作を受け付けると（ステップ１１０，１２０でＹ）、表示制御部１３１は、宛先データベース１４の送信回数を参照し、次に送信回数の大きい宛先を特定する。図３に示した例によると、宛先１００の送信回数が５と２番目に大きい。従って、表示制御部１３１は、宛先１００を宛先リスト表示領域３０の先頭の位置に表示されるように位置決めし、宛先１００に続く宛先と共に宛先リスト表示領域３０にリスト表示する。このようにして、表示制御部１３１は、フリック操作に応じて宛先リスト表示領域３０の表示を切り替える（ステップ１３０）。この切替後の宛先リストの表示例を図６Ｂに示すが、この図のように宛先リスト表示領域３０には、宛先１００が先頭の位置３２ｂに表示される宛先１００〜宛先１０４示される。
【００３３】
ここで、送信先として指定したい宛先が宛先リスト表示領域３０にまだ表示されていないことにより、ユーザが繰り返し行った所定のフリック操作を受け付けると（ステップ１１０，１２０でＹ）、表示制御部１３１は、宛先データベース１４の送信回数を参照し、次に送信回数の大きい宛先を特定する。図３に示した例によると、宛先１０と宛先５５の送信回数が２と３番目に大きい。この場合、表示制御部１３１は、短縮番号の値の小さい宛先１０を宛先リスト表示領域３０の先頭の位置に表示されるように位置決めし、宛先１０に続く宛先と共に宛先リスト表示領域３０にリスト表示する。このようにして、表示制御部１３１は、フリック操作に応じて宛先リスト表示領域３０の表示を切り替える（ステップ１３０）。この切替後の宛先リストの表示例を図６Ｃに示すが、この図のように宛先リスト表示領域３０には、宛先１０が先頭の位置３２ｃに表示される宛先１０〜宛先１４示される。
【００３４】
ここで、更に指定したい宛先が表示されていない場合、送信回数及び短縮番号の順に従って宛先５５が宛先リスト表示領域３０の先頭の位置に表示されるように位置決めされて宛先がリスト表示領域３０にリスト表示される。この処理を繰り返すことで、宛先のリストが順次切替表示される。
【００３５】
この結果、送信先として指定したい宛先が宛先リスト表示領域３０に表示されると、ユーザは、その宛先を選択して決定ボタンの押下等所定の操作を行うことでファクシミリ送信をＦＡＸ送信処理部１３に実行させる。
【００３６】
ここで、所定のフリック操作について説明する。まず、「フリック操作」というのは、画面に触れたペンや指先を少しだけスライドさせる操作のことを言う。なお、本実施の形態では、操作手段に相当する指やペンなどを「指」と総称する。現在では、スマートフォンのタッチスクリーンにおけるスクロール表示や日本語入力方式などに採用されている。本実施の形態では、２本の指を操作パネル２３に触れさせてフリック操作させる。画像形成装置１０における入力方式として１本の指によるフリック操作を既存機能にてすでに用いている場合、１本の指で本実施の形態において提供する機能を実現すると、この既存機能で用いているフリック操作との区別がつきにくくなるかもしれない。また、既存機能の仕様等に変更が必要になるかもしれない。そこで、本実施の形態では、１本の指によるフリック操作は従来のまま使用できるようにし、かつこの既存機能におけるフリック操作との併用が可能なように、本実施の形態における特徴的な宛先リストの表示切替を２本の指によるフリック操作で実現するようにした。なお、１本の指によるフリック操作を採用している既存機能がない場合には、本実施の形態における特徴的な宛先リストの表示切替を１本の指によるフリック操作で実現してもよい。なお、既存機能で用いている数（ここでは「１」）以外の数として、本実施の形態では、２本としたが、３本以上を用いるようにしてもよい。
【００３７】
また、フリック操作における指を動かす方向であるが、２本の指によるフリック操作の場合、既存機能と重複しないので、任意の方向に指を動かしてもよい。もちろん、予め決めた一方向への移動を、本実施の形態における表示切替を実行させる所定のフリック操作としてもよい。また、１本の指によるフリック操作によってスクロール表示する機能が既存機にて採用されている場合、通常は、上方向へのフリック操作は上方向へのスクロール、下方向へのフリック操作は下方向へのスクロールと決められている。ただ、左右方向へのフリック操作が決められていない場合には、左方向又は右方向へのフリック操作を、本実施の形態における所定のフリック操作として採用してもよい。このように、既存機能にて用いていない方向へのフリック操作に、本実施の形態における所定のフリック操作を適用してもよい。
【００３８】
ところで、前述した説明では、過去の送信回数を参照に宛先リスト表示領域３０に表示する宛先を特定したが、直近送信日時を参照に宛先リスト表示領域３０に表示する宛先を特定してもよい。
【００３９】
例えば、図５に示した初期画面から所定のフリック操作が行われ、操作受付部１１１がこのフリック操作を受け付けると（ステップ１１０，１２０でＹ）、本実施の形態における表示制御部１３１は、宛先データベース１４の直近送信日時を参照し、現時点に最も近い日時にファクシミリ送信されたときの宛先を特定する。図３に示した例によると、宛先１０の送信回数が２０１２年４月２７日１６時１３分と現時点に最も近いとする。この場合、表示制御部１３１は、宛先１００を宛先リスト表示領域３０の先頭の位置に表示されるように位置決めし、宛先１００に続く宛先と共に宛先リスト表示領域３０にリスト表示する。このようにして、表示制御部１３１は、フリック操作に応じて宛先リスト表示領域３０の表示を切り替える（ステップ１３０）。この切替後の宛先リストの表示例を図７Ａに示すが、この図のように宛先リスト表示領域３０には、宛先１００が先頭の位置３３ａに表示される宛先１００〜宛先１０４が表示される。
【００４０】
ここで、送信先として指定したい宛先が宛先リスト表示領域３０に表示されていないことにより、ユーザが更に行った所定のフリック操作を受け付けると（ステップ１１０，１２０でＹ）、表示制御部１３１は、宛先データベース１４の直近送信日時を参照し、現時点に２番目に近い日時にファクシミリ送信されたときの宛先を特定する。図３に示した例によると、宛先５５の送信回数が２０１２年３月２２日１１時４５分と２番目に近い。従って、表示制御部１３１は、宛先５５を宛先リスト表示領域３０の先頭の位置に表示されるように位置決めし、宛先５５に続く宛先と共に宛先リスト表示領域３０にリスト表示する。このようにして、表示制御部１３１は、フリック操作に応じて宛先リスト表示領域３０の表示を切り替える（ステップ１３０）。この切替後の宛先リストの表示例を図７Ｂに示すが、この図のように宛先リスト表示領域３０には、宛先５５が先頭の位置３３ｂに表示される宛先５５〜宛先５９が表示される。
【００４１】
ここで、送信先として指定したい宛先が宛先リスト表示領域３０にまだされていないことにより、ユーザが繰り返し行った所定のフリック操作を受け付けると（ステップ１１０，１２０でＹ）、表示制御部１３１は、宛先データベース１４の直近送信日時を参照し、現時点に３番目に近い日時にファクシミリ送信されたときの宛先を特定する。図３に示した例によると、宛先５１の送信回数が２０１２年２月２２日１１時３０分と３番目に近い。従って、表示制御部１３１は、宛先５１を宛先リスト表示領域３０の先頭の位置に表示されるように位置決めし、宛先５１に続く宛先と共に宛先リスト表示領域３０にリスト表示する。このようにして、表示制御部１３１は、フリック操作に応じて宛先リスト表示領域３０の表示を切り替える（ステップ１３０）。この切替後の宛先リストの表示例を図７Ｃに示すが、この図のように宛先リスト表示領域３０には、宛先５１が先頭の位置３３ｃに表示される宛先５１〜宛先５５が表示される。
【００４２】
以上の処理を繰り返すことで、いずれは送信先として指定したい宛先が宛先リスト表示領域３０に表示されることになる。送信回数とは異なり、直近送信日時の場合は、重複する宛先が存在しないはずなので、現時点から近い順番に宛先が特定されることになる。
【００４３】
なお、上記説明では、送信回数又は直近送信日時を参照して宛先リスト表示領域３０における基準位置に表示する宛先を特定するようにしたが、これらを組み合わせて参照してもよい。例えば、送信回数を参照して宛先を特定する場合において、送信回数が同じ場合、先の説明では短縮番号の並び順に従って一の宛先を特定するようにしたが、短縮番号に代えて直近送信日時を参照するようにしてもよい。
【００４４】
また、例えば、右方向へのフリック操作の場合は、送信回数に基づく宛先のリスト表示、左方向へのフリック操作の場合は、直近送信日時に基づく宛先のリスト表示などのように、双方の機能を同時に適用できるようにしておき、フリック操作の方向によっていずれかをユーザが選択できるようにしてもよい。
【００４５】
また、本実施の形態では、送信回数又は直近送信日時を参照して特定した宛先を表示する基準位置を、宛先リスト表示領域３０における先頭の位置としたが、これに限定する必要はない。例えば、宛先リスト表示領域３０における最後の位置や中間位置など任意の位置に設定してもよい。
【００４６】
また、本実施の形態では、例えば所定のフリック操作によって送信回数の多い宛先から順に特定するようにした。所定のフリック操作として右方向へのフリック操作を採用した場合、例えば左方向へのフリック操作がされると、送信回数の少ない宛先から順に特定できるようにしてもよい。すなわち、上記説明では、図６Ａ、図６Ｂ、図６Ｃという順に宛先リストが切り替えられたが、これとは逆に図６Ｃ、図６Ｂ、図６Ａという順に宛先リストが切り替えられる。すなわち、第一のフリック操作とは異なる第二のフリック操作が行われると、第一のフリック操作を取り消すようないわゆる「元に戻る」表示がされるようにしてもよい。
【００４７】
また、本実施の形態では、相対的に表示領域の少ない表示画面を有するユーザインタフェース画面を想定してフリック操作を採用するようにしたが、画面上に余裕がある場合には、ボタンを設けて上記機能を実現するようにしてもよい。すなわち、選択回数に基づく表示切替ボタン、直近送信日時に基づく表示切替ボタンを操作パネル２３に表示し、ユーザによるボタン操作に応じて宛先リスト表示領域３０に表示する宛先リストを切替表示するようにしてもよい。
【００４８】
また、本実施の形態では、本発明を画像形成装置１０に適用した場合を例にして説明したが、ユーザ操作による入力が可能な表示画面を有する情報機器であれば適用可能である。
【符号の説明】
【００４９】
１  ネットワーク、１０  画像形成装置、１１  ユーザインタフェース（ＵＩ）部、１２  処理制御部、１３  ＦＡＸ送信処理部、１４  宛先データベース、２０  ＦＡＸエンジン、２１  ＣＰＵ、２２  アドレスデータバス、２３  操作パネル、２４  スキャナ、２５  ハードディスクドライブ（ＨＤＤ）、２６  プリンタエンジン、２７  ネットワークインタフェース（Ｉ／Ｆ）、２８  ＲＡＭ、２９  ＲＯＭ、１１１  操作受付部、１１２  表示部、１３１  表示制御部。
【図１】
2014071804.tif 000003
【図２】
2014071804.tif 000004
【図３】
2014071804.tif 000005
【図４】
2014071804.tif 000006
【図５】
2014071804.tif 000007
【図６Ａ】
2014071804.tif 000008
【図６Ｂ】
2014071804.tif 000009
【図６Ｃ】
2014071804.tif 000010
【図７Ａ】
2014071804.tif 000011
【図７Ｂ】
2014071804.tif 000012
【図７Ｃ】
2014071804.tif 000013